(57)【要約】【課題】  オペレータの負担を軽減し、プリント作製の作業効率を低下させない、写真処理装置を提供する。【解決手段】  写真処理装置１０は、フィルム１６に記録されたコマ画像を印画紙４２の表面に形成し裏面にコレクション印字する装置である。写真処理装置１０においては、印字内容設定画面２００の設定欄２０２，２０４に入力されたコードやテキストに基づくコレクション印字情報が印画紙４２の裏面にコレクション印字される。設定欄２０２，２０４にフィルム１６のロールナンバーを印字するコードが入力された場合、ＣＰＵ３４ａはフィルム１６のロールナンバーを設定し、当該ロールナンバーが印画紙４２の裏面にコレクション印字される。【選択図】        図３
2006010941.tif 000002
【特許請求の範囲】
【請求項１】
画像記録媒体に記録された画像をプリント材料に形成する写真処理装置であって、
前記画像記録媒体の識別情報を設定する設定手段、および
前記設定手段によって設定された前記画像記録媒体の識別情報を前記プリント材料に形成する印字手段を備える、写真処理装置。
【発明の詳細な説明】
【技術分野】
【０００１】
この発明は、写真処理装置に関し、より特定的には、プリント材料の裏面にコレクション印字する写真処理装置に関する。
【背景技術】
【０００２】
写真用のフィルムに記録された画像（コマ画像）のプリント作製時には、プリント材料の表面にフィルムの画像が露光され、裏面にコレクション印字（ＣＶＰ：Correction Value Print）が施される。プリント材料の裏面に施されるコレクション印字は、たとえば、各種画像処理情報、オーダーナンバー、およびプリント材料に形成されるコマ画像のコマナンバー等のコレクション印字情報からなる。この種の技術として、たとえば特許文献１には、プリント材料のサイズ毎にコレクション印字の態様を設定し、最大印字可能文字数の範囲内で重要なコレクション印字情報の順にコレクション印字できる写真処理装置が開示されている。
【０００３】
コレクション印字情報は、焼き直しや焼き増し等同じコマ画像を複数回プリントする再プリントの作製時に前回と同様の品質（画質）のプリントを作製するためにオペレータにとって必要な情報となる。また、コレクション印字情報は、作製したプリントの検品作業時にオペレータにとって必要な情報となる。検品作業時にオペレータは、フィルムに予め付与されているオーダーナンバーおよびコマナンバーとプリントにコレクション印字されたオーダーナンバーおよびコマナンバーとを用いて、フィルムと当該フィルムのコマ画像が形成されたプリントとを照合する。検品作業後、フィルムと当該フィルムのコマ画像が形成されたプリントとは、たとえば同一の収容袋に収容され、出荷される。
【特許文献１】特開２００２−１５６７１０号
【発明の開示】
【発明が解決しようとする課題】
【０００４】
しかし、従来の技術では、コレクション印字情報にフィルムの識別情報であるロールナンバーが含まれていなかった。現像所（ラボ）等では、複数のフィルムのプリント作製を１つのオーダーとして受け付けることもある。この場合、同一のオーダーナンバーおよびコマナンバーがコレクション印字されたプリントが１つのオーダー内で複数作製されることになり、検品作業時にフィルムとプリントとの関連付けができず、オペレータはフィルムの画像とプリントの画像とを視認しながら照合しなければならなかった。また、この場合、同一のオーダーナンバーおよびコマナンバーがコレクション印字されたプリントが複数作製されるので、１つのオーダー内で任意の画像について再プリントを作製する際に、当該画像がどのフィルムに記録されているのかを視認する必要があった。その結果、オペレータの負担が増大し、プリント作製の作業効率が低下してしまうという問題があった。
それゆえに、この発明の主たる目的は、オペレータの負担を軽減し、プリント作製の作業効率を低下させない、写真処理装置を提供することである。
【課題を解決するための手段】
【０００５】
上述の目的を達成するために、請求項１に記載の写真処理装置は、画像記録媒体に記録された画像をプリント材料に形成する写真処理装置であって、画像記録媒体の識別情報を設定する設定手段、および設定手段によって設定された画像記録媒体の識別情報をプリント材料に形成する印字手段を備える。
【０００６】
請求項１に記載の写真処理装置では、設定手段によって設定された画像記録媒体の識別情報を、当該画像記録媒体に記録された画像が形成されるプリント材料に印字手段によって形成する。これによって、１つのオーダー内で複数の画像記録媒体の画像をそれぞれプリント材料に形成する場合であっても、各画像記録媒体毎に設定された識別情報と各プリント材料に形成された識別情報とを照合することによって、各画像記録媒体と各プリントとを関連付けることができる。したがって、１つのオーダー内で複数の画像記録媒体の画像をそれぞれプリント材料に形成する場合であっても、画像記憶媒体とプリントとの照合に要するオペレータの負担を軽減し、プリント作製の作業効率が低下せず、また、再プリントを作製すべき画像がどの画像記録媒体に記録されているのかをプリント材料に形成された画像記録媒体の識別情報によって確認することができ、再プリント作製の作業効率も低下しない。
【発明の効果】
【０００７】
この発明によれば、オペレータの負担を軽減し、プリント作製の作業効率を低下させない。
【発明を実施するための最良の形態】
【０００８】
以下、図面を参照して、この発明の実施の形態について説明する。
図１を参照して、この発明の一実施形態の写真処理装置１０は、スキャナ部１２およびプリント部１４を備える。
【０００９】
スキャナ部１２は、画像記録媒体の一例であるたとえば２４０フィルム（ＡＰＳ（Advanced Photo System）フィルム）等の写真用のフィルム１６に向けて光を発する光源１８を含む。複数の画像（コマ画像）が形成されたフィルム１６は、図示しない駆動モータによって回転駆動される搬送用ローラ２０によって搬送され、ネガマスク２２によってフィルム１６のコマ画像が位置決めされる。搬送用ローラ２０およびネガマスク２２は搬送ユニットであるネガキャリア２４内に一体的に組み込まれる。また、ネガキャリア２４内にはさらに、フィルム１６に形成された撮影年月日、撮影時刻、コマナンバー等のフィルム情報を読み取るための磁気ヘッド２６が設けられる。
【００１０】
光源１８とフィルム１６との間には、光源１８から発せられた光をフィルム１６に導くためのミラートンネル２８が配置される。光源１８から発せられフィルム１６を透過した光の光路上に、ラインセンサ等である画像センサ３０が配置される。また、フィルム１６と画像センサ３０との間には、フィルム１６を透過した光を画像センサ３０に結像させるためのレンズ３２が配置される。
【００１１】
画像センサ３０に結像された光は、デジタルデータとして出力され、スキャナ部１２およびプリント部１４を統括的に制御するコントローラ３４に入力される。また、コントローラ３４には、磁気ヘッド２６によって読み取られたフィルム情報も入力される。
【００１２】
コントローラ３４は、ＣＰＵバスで相互に接続されたＣＰＵ３４ａ、ＲＯＭ３４ｂおよびＲＡＭ３４ｃを含む。また、コントローラ３４には、モニタ等の表示部３６、ハードディスクドライブ（ＨＤＤ：ハードディスクを含む）等の記憶部３８、およびオペレータによる種々の指示や設定を行うキーボードやマウス等の入力部４０が接続される。表示部３６には、写真処理装置１０の操作を容易にするＧＵＩ（Graphical User Interface）や印画紙４２に形成すべき画像等が表示される。さらに、コントローラ３４には、デジタルカメラ用の画像記録メディア等から画像データを読み取るためのメディアリーダ４１が接続されている。
【００１３】
ＣＰＵ３４ａは、ＲＯＭ３４ｂや記憶部３８に記録された各種のプログラムを実行し、データを処理し、写真処理装置１０の各構成要素に指示を与え、写真処理装置１０の動作を制御する。この実施形態では、ＣＰＵ３４ａが設定手段としても機能する。
【００１４】
ＲＯＭ３４ｂは、起動用プログラム等を記録している。起動用プログラムは、写真処理装置１０の電源投入時にＣＰＵ３４ａによって実行される。これによって、記憶部３８に記録されているオペレーティングシステム（ＯＳ）等のプログラムがＲＡＭ３４ｃにロードされ、各種の処理や制御が実行可能となる。
【００１５】
ＲＡＭ３４ｃには、写真処理装置１０を制御するプログラム等が展開され、プログラムによる処理結果、処理のための一時データ、表示部３６の画面上に情報を表示するための表示用データ（テキストデータ、画像データ等）等を保持し、ＣＰＵ３４ａの作業領域として使用される。ＲＡＭ３４ｃ上に展開された表示用データは、表示部３６に伝達され、表示部３６は、その画面上に表示用データに対応する表示内容（テキスト、画像等）を表示する。
【００１６】
記憶部３８は、ＣＰＵ３４ａの指示に従って、プログラム、制御用データ、テキストデータ、画像データ等を、ハードディスクに対して書き込みまたは読み出す。この実施形態では、記憶部３８内のハードディスクに、図４および図５に示す動作を実行するためのプログラムが格納される。
【００１７】
プリント部１４は、プリント材料である長尺の印画紙４２が収納されるペーパーマガジン４４を含む。ペーパーマガジン４４は所定の幅寸法の印画紙４２を収納し、たとえば作製するプリントのサイズの変更に伴って交換される。ペーパーマガジン４４に収納される印画紙４２は所定の経路に沿って引き出され、図示しないカッタによって適宜のサイズにカットされ、カット済みの印画紙４２が搬送用ローラ４６によって所定の搬送経路上を搬送される。搬送用ローラ４６は駆動モータ４８によって回転駆動され、駆動モータ４８はコントローラ３４によって制御される。
【００１８】
また、カット済みの印画紙４２の搬送経路上には、デジタル露光ヘッド５０および印字ユニット５２が配置される。デジタル露光ヘッド５０は、コントローラ３４から入力される画像データに基づく画像を印画紙４２の表面に露光し、画像（潜像）を形成する。デジタル露光ヘッド５０には、たとえば蛍光プリンタ、ＰＬＺＴ式プリンタまたはＣＲＴプリンタ等のプリンタヘッドが用いられる。印字手段である印字ユニット５２は、コントローラ３４から入力されるコレクション印字情報のデータに基づくコレクション印字情報を印画紙４２の裏面に、印画紙４２の搬送方向に沿ってコレクション印字する。印字ユニット５２には、たとえばドットインパクトプリンタが用いられる。
【００１９】
このように表面に画像が形成されかつ裏面にコレクション印字されたカット済みの印画紙４２は、現像処理部５４で現像処理され、乾燥部５６で乾燥され、写真処理装置１０から排出される。
【００２０】
図２に写真処理装置１０から排出された印画紙４２（プリント）の裏面におけるコレクション印字の一例を示す。
ここでは、上下２段にコレクション印字情報が印字され、上段（１行目）のコレクション印字情報１０１〜１０４は、順に、プリントを作製したオーダーのオーダーナンバー、プリントに形成された画像を記録するフィルム１６の識別情報であるロールナンバー、プリントに形成された画像のコマナンバー、図３の印字内容設定画面２００でオペレータによって任意に入力されたバックプリントテキストである。また、下段（２行目）のコレクション印字情報１０５〜１０９は、順に、ＹＭＣＤ・スキャナ補正値、オートコントラスト（全体）補正値、オートコントラスト（シャドー）補正値、オートコントラスト（ハイライト）補正値、シャープネス補正値である。
【００２１】
ついで、図３（ａ）を参照して、露光済み印画紙４２の裏面に施されるコレクション印字の内容および態様を設定するために表示部３６に表示される印字内容設定画面２００について説明する。
印字内容設定画面２００には、設定欄２０２，２０４が設けられる。設定欄２０２は露光済みの印画紙４２の裏面において１行目に印字するコレクション印字情報を設定するために用いられ、同様に設定欄２０４は露光済みの印画紙４２の裏面において２行目に印字するコレクション印字情報を設定するために用いられる。
【００２２】
設定欄２０２，２０４にそれぞれ対応して設けられるチェックボックス２０２ａ，２０４ａにマークを入れることによって、設定欄２０２，２０４へのテキストの入力が可能となる。また、チェックボックス２０２ａ，２０４ａにマークを入れることによって、設定欄２０２，２０４にそれぞれ対応して設けられるコード選択ボタン２０２ｂ，２０４ｂを押すことができるようになる。コード選択ボタン２０２ｂ，２０４ｂを押すことによって、コード選択画面３００が表示部３６に表示される。
【００２３】
図３（ｂ）に示すように、コード選択画面３００には入力コード表示欄３０２が設けられる。入力コード表示欄３０２に隣接する選択ボタン３０２ａを押すことによって、所定のコードを複数表示するコード選択欄３０４が入力コード表示欄３０２の下方に展開される。コード選択欄３０４において選択されたコードが入力コード表示欄３０２に表示される。図３（ｂ）においては、コード選択欄３０４において［Ｏ］というコードが選択され、入力コード表示欄３０２に表示されている。
【００２４】
コード選択欄３０４に表示される各コードは、それぞれ所定項目のコレクション印字情報に関連付けられている。具体的には、フィルム情報として、撮影年月日、撮影時刻、コマナンバー等の項目のコレクション印字情報、写真処理装置の設定情報として、オーダーナンバー、ロールナンバー、チャンネルナンバー、プリント枚数、ＹＭＣＤ・スキャナ補正値、コピーライトマーク、テンプレート等の項目のコレクション印字情報、画像処理情報として、オートコントラスト（全体）、オートコントラスト（シャドー）、オートコントラスト（ハイライト）、シャープネス、彩度、粒状抑制、モアレ抑制、赤目補正、ソフトフォーカス、色調変換、クロスフィルタ、画像回転、拡大縮小等の項目のコレクション印字情報が、それぞれ別々のコードに関連付けられている。
【００２５】
コード選択ボタン２０２ｂが押されることで表示されたコード選択画面３００上で追加ボタン３０６が押されることによって、入力コード表示欄３０２のコードが設定欄２０２に入力される。同様に、コード選択ボタン２０４ｂが押されることで表示されたコード選択画面３００上で追加ボタン３０６が押されることによって、入力コード表示欄３０２のコードが設定欄２０４に入力される。
【００２６】
また、印字内容設定画面２００には、コードやコードを構成しないテキスト（バックプリントテキスト）を組み合わせたフォーマットが複数表示されるフォーマット選択欄２０６が設けられる。フォーマットは予め記憶部３８に記憶されており、フォーマット選択欄２０６の任意のフォーマットを選択することによって、当該フォーマットに対応するコードやバックプリントテキストが記憶部３８から読み出され、設定欄２０２，２０４に入力される。
なお、設定欄２０２，２０４には、入力部４０を介して所定のコードを直接入力することもできる。
【００２７】
設定欄２０２に入力されたコードに関連付けられる項目のコレクション印字情報および設定欄２０２に入力されたバックプリントテキストが露光済みの印画紙４２の裏面において１行目に印字される。また、設定欄２０４に入力されたコードに関連付けられる項目のコレクション印字情報および設定欄２０４に入力されたバックプリントテキストが露光済みの印画紙４２の裏面において２行目に印字される。露光済みの印画紙４２の裏面においてコードに関連付けられる項目のコレクション印字情報およびバックプリントテキストは設定欄２０２，２０４に入力された順に印字される。
【００２８】
このように、写真処理装置１０では印字内容設定画面２００上で露光済みの印画紙４２の裏面に施されるコレクション印字の内容および態様を各行（ここでは上下２行）についてそれぞれ設定できる。言い換えれば、写真処理装置１０では印字内容設定画面２００上でコレクション印字をフルラインコントロールできる。
【００２９】
なお、図３（ａ）においては、図２と同様の内容および態様でコレクション印字する場合の設定欄２０２，２０４への入力状態が示されている。
【００３０】
設定欄２０２のコード［Ｏ］、［Ｒ］、［Ｋ］およびテキスト「ＣＶＰＤａｔａ」は、それぞれ図２のコレクション印字情報１０１〜１０４に対応している。つまり、コード［Ｏ］、［Ｒ］、［Ｋ］は、コレクション印字情報の項目として、オーダーナンバー、ロールナンバー、コマナンバーにそれぞれ関連付けられている。同様に、設定欄２０４のコード［ＹＹＹＹ］、［ＡＣ］、［ＡＣｓ］、［ＡＣｈ］、［ＡＳ］は、それぞれ図２のコレクション印字情報１０５〜１０９に対応している。つまり、コード［ＹＹＹＹ］、［ＡＣ］、［ＡＣｓ］、［ＡＣｈ］、［ＡＳ］は、コレクション印字情報の項目として、ＹＭＣＤ・スキャナ補正値、オートコントラスト（全体）補正値、オートコントラスト（シャドー）補正値、オートコントラスト（ハイライト）補正値にそれぞれに関連付けられている。
【００３１】
ついで、図４および図５を参照して、写真処理装置１０の主要動作について説明する。
ここでは、フィルム１６には、予めロールナンバーが記載されたシール等が貼り付けられており、ロールナンバーが付与されているものとする。通常、１つのオーダー内において複数のフィルム１６を処理する（スキャンする）場合、各フィルム１６には「１」から順にロールナンバーが付与され、ロールナンバー「１」のフィルム１６から順に処理される。
【００３２】
まず、入力部４０からの指示に従って、作製するプリントのサイズやオーダーナンバーが設定され（ステップＳ１）、設定されたオーダーナンバーのデータがＲＡＭ３４ｃに保持される。つづいて、印字内容設定画面２００が表示部３６に表示され（ステップＳ３）、設定欄２０２，２０４にコードやバックプリントテキストが入力される。印字内容設定画面２００のＹＥＳボタン２０８が押されることによって、設定欄２０２，２０４に入力されたコードやバックプリントテキストのデータが印字内容設定データとしてＲＡＭ３４ｃに保持される（ステップＳ５）。
【００３３】
ステップＳ５でＲＡＭ３４ｃに保持された印字内容設定データ中に、コード［Ｒ］のデータつまりコレクション印字情報の項目としてロールナンバーを印字する設定データがある場合（ステップＳ７でＹＥＳの場合）、つづいて図６に示すロールナンバー設定方法選択画面４００が表示部３６に表示される（ステップＳ９）。
【００３４】
つづいて、入力部４０からの指示に従って、ロールナンバー設定方法選択画面４００の設定方法選択欄４０２に表示される「Ａｕｔｏ」または「Ｍａｎｕａｌ」のいずれかが表示欄４０４に入力され、ＹＥＳボタン４０６が押されることによってロールナンバー設定方法の設定データがＲＡＭ３４ｃに保持される。「Ａｕｔｏ」が選択された場合は設定データ「Ａｕｔｏ」がＲＡＭ３４ｃに保持され、また「Ｍａｎｕａｌ」が選択された場合は設定データ「Ｍａｎｕａｌ」がＲＡＭ３４ｃに保持される。
【００３５】
つづいて、スキャナ部１２へのフィルム１６の装填が検出され（ステップＳ１３）、ロールナンバー設定方法の設定データがＲＡＭ３４ｃに保持されており（ステップＳ１５でＹＥＳ）かつ設定データ「Ｍａｎｕａｌ」である場合（ステップＳ１７でＹＥＳの場合）、図７に示すロールナンバーを入力するためのエラー／お知らせ画面５００が表示部３６に表示される（ステップＳ１９）。
【００３６】
つづいて、入力部４０からの指示に従って、スキャナ部１２に装填されているフィルム１６のロールナンバーと同一のロールナンバーがエラー／お知らせ画面５００のロールナンバー入力欄５０２に入力される。そして、ＹＥＳボタン５０４が押されことによって、ＣＰＵ３４ａはロールナンバー入力欄５０２に入力されたロールナンバーのデータをＲＡＭ３４ｃに保持させる（ステップＳ２１）。つまり、ＣＰＵ３４ａはオペレータの指示に従ってロールナンバーを手動設定する。そして、スキャナ部１２に装填されているフィルム１６に記録された各コマ画像のプレスキャンが順次行われる（ステップ２３）。
【００３７】
なお、エラー／お知らせ画面５００が表示される際には、ＣＰＵ３４ａによって自動取得されたロールナンバーがロールナンバー入力欄５０２に入力されている。ＣＰＵ３４ａは、ステップＳ１でオーダーナンバーが設定されることによってロールナンバーを「０」に初期化し、ステップＳ１３でスキャナ部１２へのフィルム１６の装填を検出する度にロールナンバーに自動的に「１」を加算する。このようにして、ＣＰＵ３４ａはロールナンバーを自動取得する。図７においては、表示直後（未入力の）エラー／お知らせ画面５００が示されている。ロールナンバー入力欄５０２にロールナンバーとして「１」が表示されているので、スキャナ部１２に装填されているフィルム１６が当該オーダー内で最初にスキャンされるフィルム１６であることがわかる。
【００３８】
一方、ステップＳ１７でＮＯの場合、つまりロールナンバー設定方法の設定データが「Ａｕｔｏ」である場合、ＣＰＵ３４ａは、自動取得したロールナンバーのデータをＲＡＭ３４ｃに保持させ、ロールナンバーを自動設定する（ステップＳ２２）。そして、ステップＳ２３に移る。ステップＳ１５でＮＯの場合、つまりロールナンバー設定方法の設定データがＲＡＭ３４ｃに保持されていない場合も同様にステップＳ２３に移る。
【００３９】
ステップＳ２３では、スキャナ部１２に装填されているフィルム１６に記録された各コマ画像およびフィルム情報がデジタルデータとしてコントローラ３４に順次入力され、各コマ画像の画像データ（プレスキャン画像データ）に基づくプレスキャン画像が表示部３６に表示される。そして、プレスキャン画像の画像状態に応じて必要であれば本スキャン画像データに施すべき各種画像処理の設定がなされ、その画像処理設定データがＲＡＭ３４ｃに保持される。
【００４０】
つづいて、スキャナ部１２に装填されているフィルム１６に記録された各コマ画像の本スキャンが順次行われ（ステップＳ２５）、各コマ画像の画像データ（本スキャン画像データ）がコントローラ３４に入力され、記憶部３８に記憶される。ステップＳ２３でＲＡＭ３４ｃに画像処理設定データが保持されている場合、当該画像処理設定データに基づく画像処理が本スキャン画像データに施された後に、記憶部３８に記憶される。つづいて、カット済みの印画紙４２への露光およびコレクション印字が行われる（ステップＳ２７）。
【００４１】
ステップＳ２７では、記憶部３８に記憶された各本スキャン画像データがデジタル露光ヘッド５０に順次入力され、カット済みの印画紙４２の表面に本スキャン画像データに基づく画像がそれぞれ露光される。そして、ＲＡＭ３４ｃに保持されている印字内容設定データ中のコードのデータに関連付けられた項目のコレクション印字情報のデータおよびバックプリントテキストのデータが印字ユニット５２に入力され、露光済みの印画紙４２の裏面にコレクション印字される。このとき、印字内容設定データ中にコード［Ｒ］のデータがある場合、ＲＡＭ３４ｃに保持されているロールナンバーのデータが印字ユニット５２に入力され、露光済みの印画紙４２の裏面にロールナンバーがコレクション印字される。露光およびコレクション印字済みの印画紙４２は、現像処理部５４で現像処理され、乾燥部５６で乾燥され、写真処理装置１０からプリントとして排出される。
【００４２】
その後、当該オーダー内でフィルム１６を交換し引き続きプリントを作製する場合（ステップＳ２９でＹＥＳの場合）、ステップＳ１３に戻る。一方、当該オーダー内で引き続きプリントを作製しない場合（ステップＳ２９でＮＯの場合）、ＲＡＭ３４ｃに保持されているオーダーナンバーのデータを初期化し、当該オーダー内でのプリント作製の作業を終了する。
【００４３】
プリント作製の作業終了後、フィルム１６と作製されたプリントとが照合され、フィルム１６と当該フィルム１６のコマ画像が形成されたプリントとが同一の収容袋に収容され、出荷される。
【００４４】
なお、複数のフィルム１６をスキャンしプリントを作製する場合、全てのフィルム１６についてプレスキャンおよび本スキャンを行ってから印画紙４２に露光およびコレクション印字するようにしてもよい。
【００４５】
また、メディアリーダ４１によって画像記録メディアから画像データを読み取る場合であっても、上述のよう画像記録メディアの識別情報を露光済みの印画紙４２の裏面にコレクション印字できる。
【００４６】
このような写真処理装置１０では、ＣＰＵ３４ａによって設定されたフィルム１６のロールナンバーを、当該フィルム１６に記録されたコマ画像が表面に露光される印画紙４２の裏面に印字ユニット５２によってコレクション印字できる。これによって、１つのオーダー内で複数のフィルム１６をスキャンしてプリントを作製する場合であっても、各フィルム１６毎のロールナンバーと各プリントの裏面のコレクション印字されたロールナンバーとを照合することによって、各フィルム１６と各プリントとを関連付けることができる。したがって、フィルム１６とプリントとの照合におけるオペレータの負担を軽減し、プリント作製の作業効率を低下させない。また、再プリントを作製する際に、再プリントを作製すべきコマ画像がどのフィルム１６に記録されているのかをプリントの裏面にコレクション印字されたロールナンバーによって確認することができ、再プリント作製の作業効率を低下させない。
【００４７】
さらに、ロールナンバー設定方法を「Ｍａｎｕａｌ」にすることによってコレクション印字するロールナンバーを任意に設定できるので、たとえば、スキャナ部１２にフィルム１６を装填する順序を誤った場合やオーダー内でスキャンのやり直し（焼き直し）を行う場合であっても所望のロールナンバーをプリントの裏面にコレクション印字できる。
【００４８】
なお、上述の実施形態では、プリント部１４内で印字ユニット５２がデジタル露光ヘッド５０よりも印画紙４２の搬送経路の下流側に配置される場合について説明したが、印字ユニット５２をデジタル露光ヘッド５０よりも搬送経路の上流側に配置し、印画紙４２の裏面にコレクション印字した後に印画紙４２の表面に画像を形成するようにしてもよい。
【００４９】
また、ロールナンバー等の識別情報の形成面は、プリント材料において表面または裏面のどちらの面であってもよい。当該識別情報は、印字以外のたとえば露光やインクジェット等の手段でプリント材料に形成されてもよい。
【００５０】
また、この発明で用いられるプリント材料は、印画紙に限定されず、インクジェット用プリント用紙や布やプラスチックフィルム等であってもよい。
【００５１】
さらに、この発明は、インクジェット写真処理装置やアナログ写真処理装置にも適用することができる。
【図面の簡単な説明】
【００５２】
【図１】この発明の一実施形態を示すブロック図である。
【図２】印画紙の裏面に印字されるコレクション印字の一例を示す図解図である。
【図３】印字内容設定画面の一例を示す図解図である。
【図４】図１の実施形態の動作の一例を示すフロー図である。
【図５】図４の動作の続きを示すフロー図である。
【図６】図４の動作中に表示部に表示される画面を示す図解図である。
【図７】図４の動作中に表示部に表示される画面を示す図解図である。
【符号の説明】
【００５３】
１０      写真処理装置
１２      スキャナ部
１４      プリント部
１６      フィルム
３４      コントローラ
３４ａ      ＣＰＵ
３４ｃ      ＲＡＭ
３６      表示部
４０      入力部
４２      印画紙
５０      デジタル露光ヘッド
５２      印字ユニット
１０１，１０２，１０３，１０４，１０５，１０６，１０７，１０８，１０９      コレクション印字情報
２００      印字内容設定画面
４００      ロールナンバー設定方法選択画面
５００      エラー／お知らせ画面
【図１】
2006010941.tif 000003
【図２】
2006010941.tif 000004
【図３】
2006010941.tif 000005
【図４】
2006010941.tif 000006
【図５】
2006010941.tif 000007
【図６】
2006010941.tif 000008
【図７】
2006010941.tif 000009